【事件の表示】
　特願２００６−２５８１３３「インサート」拒絶査定不服審判事件〔平成２０年　４月　３日出願公開、特開２００８−　７５３９６〕について、次のとおり審決する。
【結　論】
　本件審判の請求は、成り立たない。
【理　由】
第１　手続の経緯
　本願は，平成１８年９月２２日の出願であって，平成２３年９月６日付けで拒絶査定がなされ，これに対し，同年１２月１日受付で拒絶査定不服審判がなされると共に，同時に手続補正がなされた。
　その後，平成２４年６月４日付けで，審判請求人に前置報告書の内容を示し意見を求めるための審尋を行ったところ，同年７月１３日受付で回答書が提出されたものである。
　
　
第２　補正の却下の決定
［補正の却下の決定の結論］
　　平成２３年１２月１日受付の手続補正を却下する。
　
［理由］
１．補正の内容・目的
　平成２３年１２月１日受付の手続補正（以下，「本件補正」という。）は，特許請求の範囲について，補正前（平成２３年３月１５日受付の手続補正書参照。）の請求項１を，以下のように補正することを含むものである。
「コンクリート内に埋設され、ボルト体が取着されるインサートであって、
　コンクリート面から離間して設けられ、ボルト体が螺着される螺着部と、
　コンクリート打設時にコンクリート型枠に当接するとともに前記型枠除去後はコンクリート面に露出する当接面と、
　前記当接面に設けられ、前記ボルト体の端部を前記当接面側から前記螺着部側に挿入可能で、前記螺着部より大きい開口を有する挿入口と、
　前記挿入口と前記螺着部との間に傾斜して設けられ、前記ボルト体の端部が前記挿入口から挿入された際、前記ボルト体の端部を前記螺着部に向けて移動させるべく案内する案内面とを備え、
　前記案内面は、挿入した前記ボルト体の端部が前記挿入口から外れにくくなるよう該挿入口の周端部において急に深くなる半球殻状、椀状、ドーム状等の、挿入口から離間する側に凸となる湾曲面に形成されたことを特徴とするインサート。」
　
　上記補正事項は，請求項１に係る発明の特定事項の一部である，「湾曲面」に「挿入した前記ボルト体の端部が前記挿入口から外れにくくなるよう該挿入口の周端部において急に深くなる」という事項を付加し限定したものと認められるから，本件補正は，少なくとも，平成１８年法律第５５号改正附則第３条第１項によりなお従前の例によるとされる同法による改正前の特許法第１７条の２第４項第２号の特許請求の範囲の減縮を目的とする補正事項を含むものである。
　
　そこで，本件補正後の上記請求項１に係る発明（以下，「補正発明」という。）が特許出願の際独立して特許を受けることができるものであるか，すなわち，平成１８年法律第５５号改正附則第３条第１項によりなお従前の例によるとされる同法による改正前の特許法第１７条の２第５項において準用する同法第１２６条第５項に規定する要件を満たしているか，について以下に検討する。
　 
２．独立特許要件違反（特許法第２９条第２項違反） 
２−１．引用刊行物  
（１）刊行物１ 
　原査定の拒絶の理由に引用され，本願出願前に頒布された刊行物である，実願昭５５−２９７７０号（実開昭５６−１３０５０７号）のマイクロフィルム（以下，「刊行物１」という。）には，図面と共に，次の記載がある。（下線は，当審にて付与。）
（１ａ）「上端部に鍔を設けて下面中心にねじ孔を装設した金属製の棒状本体と、中央部下方に吊りボルト通孔を設けて肉部には少なくとも下方を開口する数個の縦の長い釘孔を適当間隔に装設した合成樹脂製の縦の受筒と、数本の頭なし釘とよりなり、その受筒に本体を鍔まで圧入し、数個の釘孔に頭なし釘をそれぞれ圧入して該釘の下方先端部を突出させると共に、上記釘を本体の鍔の下方に位置させてなるコンクリート構築用インサート。」（実用新案登録請求の範囲）
　
（１ｂ）「第１図乃至第５図に示す本考案の１実施例についてその構造を説明すれば、（ａ）はコンクリート構築用インサートを示し、
（１）はインサート（ａ）の鉄等金属製の棒状本体で、上端部に鍔（２）を設けて下面中心にねじ孔（３）を装設する。（４）は合成樹脂製の受筒体、（５）は受筒体（４）の縦の受筒で、両側部を張出し（６）して両側部の肉厚を厚くなし、その下端に外方へ張出す円形の座板（７）を、該座板（７）の周縁下方に下方が拡開したラツパ状のスカート（８）をそれぞれ一体に設け、その受筒体（４）の受筒（５）の下方にはそれに連通して下方が拡開するテーパーの吊りボルト通孔（９）を同心に装設し、両側には張出し（６）した厚肉部から座板（７）にわたつて下方を開口した釘孔（１０）を設ける。
受筒体（４）の受筒（５）に本体（１）をその鍔（２）まで、両側の釘孔（１０）にはその頂部まで頭なし釘（１１）をそれぞれ圧入すると共に、該釘（１１）を鍔（２）の下方に位置させてその先端部を適当長さ下方へ突出させそれらを一体に固定してインサート（ａ）を構成する。
　（１２）はコンクリート構築物の床、（１３）はその下面を形成するコンクリート型枠の堰板、（１４）は天井等の吊りボルトで、その上端部にはねじ（１５）を装設する。
　次にその使用法を説明する。コンクリート構築時において、スラブ等の下面のコンクリート型枠を組立てた後、第４図に示すように堰板（１３）の所要箇所上にインサート（ａ）を立ててその鍔（２）の上面をハンマ等で叩けば、その打撃が鍔（２）から受筒体（
４
　そこで第４図に示すようにコンクリートを打設して床（１２）を構成すれば、そのモルタルはスカート（８）により受止められてインサート（ａ）の下方部に入り込むことなくインサート（ａ）は床（１２）内に埋没する。その後型枠を解体して堰板（１３）を除去すると、インサート（ａ）の釘（１１）は釘孔（１０）から抜け出し堰板（１３）と一体で取除かれて第５図に示すように床（１２）内にはインサート（ａ）の本体（１）と受筒体（
４
　次いで第５図に示すように
吊りボルト（１４）の上端ねじ（１５）をねじ孔（３）にねじ込んで吊りボルト（１４）をインサート（ａ）に固定し、
　
（１ｃ）上記記載事項（１ｂ）を参照して，第５図をみると，
インサート（ａ）は，コンクリート内に埋設され，吊りボルト（１４）が取着され，ねじ孔３は，コンクリート面から離間して設けられている
スカート８は，堰板１３に当り拡開してコンクリート打設時に堰板１３に当接するとともに前記堰板１３除去後はコンクリート面に露出している
下方が拡開するテーパーの吊りボルト通孔９は，上端がねじ孔３の下端に位置していてねじ孔３と略同径で，吊りボルト１４が挿入される下方が拡開している円錐台状となっており，吊りボルト１４の上端ねじ１５が下方から挿入された際，吊りボルト１４の上端ねじ１５をねじ孔３に向けて移動させるべく案内する直線状の案内面となっている
　
　これら記載事項（１ａ）乃至（１ｃ）及び図面の記載から，刊行物１には，次の発明が記載されているものと認められる。
「コンクリート内に埋設され，吊りボルト（１４）が取着されるインサート（ａ）であって，
　上端部に鍔（２）を設け，下面中心にねじ孔（３）を装設する棒状本体（１）と，両側部を張出し（６）して両側部の肉厚を厚くなした縦の受筒（５），その下端に外方へ張出す円形の座板（７），該座板（７）の周縁下方に下方が拡開したラッパ状のスカート（８）をそれぞれ一体に設け，受筒（５）の下方にはそれに連通して下方が拡開するテーパーの吊りボルト通孔（９）を同心に装設するとともに，両側に張出し（６）した厚肉部から座板（７）にわたつて下方を開口した釘孔（１０）を設けた受筒体（
４
　受筒体（
４
　前記吊りボルト（１４）の上端ねじ（１５）がねじ込まれる棒状本体（１）のねじ孔（３）は，コンクリート面から離間して設けられ，
　前記スカート（８）は，コンクリート打設時に堰板（１３）に当接するとともに前記堰板（１３）除去後はコンクリート面に露出し，
　前記下方が拡開するテーパーの吊りボルト通孔（９）は，上端がねじ孔（３）の下端に位置していてねじ孔（３）と略同径で，円錐台状となっており，吊りボルト（１４）の上端ねじ（１５）が下方から挿入された際，吊りボルト（１４）の上端ねじ（１５）をねじ孔（３）に向けて移動させるべく案内する直線状の案内面となっているインサート。」（以下，「刊行物１記載の発明」という。）
　
（２）刊行物２ 
　原査定の拒絶の理由に引用され，本願出願前に頒布された刊行物である，実願平４−３２１７８号（実開平６−２０６０６号）のＣＤ−ＲＯＭ（以下，「刊行物２」という。）には，図面と共に，次の記載がある。
（２ａ）「【請求項１】支持具主体１のテーパ状のパイプ軸２において、
上記パ
イプ軸２の型枠に取り付ける側に漏斗状の底面５を形成し、該パイプ軸２には軸方向に貫通する貫通孔４ａを設ける
底面５とは反対側にインサート８が係合される段部３を有する上側軸４を形成し、該上側軸４にインサート８を嵌着した
　
（２ｂ）「【０００８】
　図１において、１はポリエチレン等の合成樹脂により一体形成された支持具主体であって、先端側が正漸次小径となるテーパ状でパイプ軸２の下端側に漏斗状の底面５を形成している。また、該
パイプ軸２には軸方向に貫通する貫通孔４ａを有する
　　　【０００９】
　本考案の実施例において、使用される釘９はその釘頭部の大きさを支持具主体１の上側軸４の全周壁を覆うとともに、カバーリング７の内径より若干小さくするようになっている。上記のカバーリング７は硬質合成樹脂材あるいは金属材であることが好ましい。なお、
底面５の形状は、漏斗状であれば、直線状あるいは、曲線状のいずれでも構わない
　　　【００１０】
　コンクリート内に上記インサート８を埋設する方法について説明する。
　　　【００１１】
　まず、構築物等のコンクリートを打設する前に型枠１０の所定の位置に支持具主体１を位置決めする。次に、該上側軸４にインサート８を通し、段部３にインサート８を係止し、カバーリング７をインサート８と接触しつつ上側軸４の端側を覆うように嵌着する。その後、上記上側軸４の貫通孔４ａに釘９を打込んで型枠１０に取付け、コンクリートを打設し、硬化後に型枠１０を取外す。そして、次に適当な工具で釘９を抜取れば支持具主体１はコンクリートから抜取られ、インサート８と支持具主体１はコンクリート内の所定の深さに埋設される。
　　　【００１２】
　本考案は前述された如く、テーパ状からなる支持具主体１のパイプ軸２の下側に漏斗状の底面５を形成し、且つ該上側にはインサート８が嵌着係合する段部３を形成した上側軸４にインサート８とカバーリングとを嵌着した支持具主体１をコンクリート打設する前に型枠１０の所定の個所に位置させたのち、上記上側軸４の貫通孔４ａに一つの釘９を打込むことにより型枠１０に取付け、釘９を抜き取るという簡単な作業により、コンクリート構築物等のコンクリート面に必要な深さにインサート８を埋設することができる。」
　
（２ｃ）上記記載事項（２ｂ）を参照して，図３，４をみると，
漏斗状の底面５は，型枠側の開口が大きく該大きな開口から離間する側に凸の漏斗状の開口部を形成し，形成された開口部は，ボルト体の端部が大きな開口から挿入された際，前記ボルト体の端部をインサートの螺着部に向けて移動させるべく案内する案内面となる
　
　これら記載事項（２ａ）乃至（２ｃ）及び図面の記載から，刊行物２には，次の発明が記載されているものと認められる。
「軸方向に貫通する貫通孔４ａを設けたテーパ状のパイプ軸２の，型枠に取り付ける側に，型枠側の開口が大きく該大きな開口から離間する側に凸に形成された漏斗状で曲線状とした形状の底面５を形成し，該底面５とは反対側の上側軸４に，螺着部を有するインサート８を嵌着するコンクリート用埋設具であって，底面５は，型枠側の開口が大きく該大きな開口から離間する側に凸の漏斗状で曲線状とした形状の開口部を形成し，該形成された開口部は，ボルト体の端部が大きな開口から挿入された際，前記ボルト体の端部をインサートの螺着部に向けて移動させるべく案内する案内面となるコンクリート用埋設具。」（以下，「刊行物２記載の発明」という。）
　
２−２．補正発明と刊行物１記載の発明との対比 
　補正発明と刊行物１記載の発明とを対比すると，
　刊行物１記載の発明の「吊りボルト（１４）」が補正発明の「ボルト体」に相当しており，以下同様に，
「ねじ孔（３）」が「螺着部」に，
「堰板（１３）」が「コンクリート型枠」に，
「スカート（８）」が「当接面」に，
「吊りボルト通孔（９）」の「吊りボルト（１４）が挿入される下方」が，「挿入口」に，
それぞれ相当している。
　また，刊行物１記載の発明の「上端がねじ孔（３）の下端に位置していてねじ孔（３）と略同径で，円錐台状となっており，吊りボルト（１４）の上端ねじ（１５）が下方から挿入された際，吊りボルト（１４）の上端ねじ（１５）をねじ孔（３）に向けて移動させるべく案内する直線状の案内面となっている」「下方が拡開するテーパーの吊りボルト通孔（９）」と，補正発明の「挿入口と前記螺着部との間に傾斜して設けられ、前記ボルト体の端部が前記挿入口から挿入された際、前記ボルト体の端部を前記螺着部に向けて移動させるべく案内」し，「挿入口から離間する側に凸に形成された」「案内面」とは，「挿入口と螺着部との間に傾斜して設けられ、ボルト体の端部が前記挿入口から挿入された際、前記ボルト体の端部を前記螺着部に向けて移動させるべく案内する案内面」で共通する。
　　
　したがって，両者は，以下の点で一致している。
「コンクリート内に埋設され，ボルト体が取着されるインサートであって，
　コンクリート面から離間して設けられ，ボルト体が螺着される螺着部と，
　コンクリート打設時にコンクリート型枠に当接するとともに前記型枠除去後はコンクリート面に露出する当接面と，
　前記当接面に設けられ，前記ボルト体の端部を前記当接面側から前記螺着部側に挿入可能で，前記螺着部より大きい開口を有する挿入口と，
　前記挿入口と前記螺着部との間に傾斜して設けられ、前記ボルト体の端部が前記挿入口から挿入された際，前記ボルト体の端部を前記螺着部に向けて移動させるべく案内する案内面とを備えたインサート。」
　
　そして，以下の点で相違している。
　案内面が，
補正発明は，挿入したボルト体の端部が挿入口から外れにくくなるよう該挿入口の周端部において急に深くなる半球殻状、椀状、ドーム状等の，挿入口から離間する側に凸となる湾曲面であるのに対して，
刊行物１記載の発明は，円錐台状であって直線状の案内面となっている点。
　
２−３．判断 
　刊行物１記載の発明及び補正発明の「インサート」と同様にコンクリートに吊りボルト等のボルト体を取着するための「コンクリート用埋設具」に係る，刊行物２記載の発明において，案内面を形成する漏斗状の底面５の形状を，曲線状とすることが記載されており，漏斗状の形状を曲線で形成するには，補正発明のように半球殻状，椀状，ドーム状等の内側が凹状の湾曲面にする場合と，ラッパの開口部のような内に凸状の湾曲面にする場合が想定されるが，いずれを採用するかは設計的事項にすぎず，刊行物１記載の発明の案内面の形状として，挿入したボルト体の端部が挿入口から外れにくくなるよう該挿入口の周端部において急に深くなる半球殻状、椀状、ドーム状等の，挿入口から離間する側に凸となる等の湾曲面を採用することは，当業者が容易に想到し得ることである。
　
　また，補正発明の作用効果も，刊行物１及び２記載の発明から当業者が予測し得る程度のことである。
　
　したがって，補正発明は，刊行物１及び２記載の発明に基づいて当業者が容易に発明をすることができたものであるから，特許法第２９条第２項の規定により特許出願の際独立して特許を受けることができないものである。
　
３．補正の却下の決定のむすび 
　以上より，本件補正は，平成１８年法律第５５号改正附則第３条第１項によりなお従前の例によるとされる同法による改正前の特許法第１７条の２第５項において準用する同法第１２６条第５項に規定する要件を満たしていないものであるから，同法第１５９条第１項において読み替えて準用する同法第５３条第１項の規定により却下すべきものである。
　よって，補正の却下の決定の結論のとおり決定する。
　
　
第３　本願発明
１．本願発明
　平成２３年１２月１日受付の手続補正は却下されたので，本願の請求項１に係る発明は，平成２３年３月１５日受付の手続補正書の特許請求の範囲の請求項１に記載された事項により特定される，以下のとおりのものと認める。
「コンクリート内に埋設され、ボルト体が取着されるインサートであって、
　コンクリート面から離間して設けられ、ボルト体が螺着される螺着部と、
　コンクリート打設時にコンクリート型枠に当接するとともに前記型枠除去後はコンクリート面に露出する当接面と、
　前記当接面に設けられ、前記ボルト体の端部を前記当接面側から前記螺着部側に挿入可能で、前記螺着部より大きい開口を有する挿入口と、
　前記挿入口と前記螺着部との間に傾斜して設けられ、前記ボルト体の端部が前記挿入口から挿入された際、前記ボルト体の端部を前記螺着部に向けて移動させるべく案内する案内面とを備え、
　前記案内面は、半球殻状、椀状、ドーム状等の、挿入口から離間する側に凸となる湾曲面に形成されたことを特徴とするインサート。」（以下，請求項１に係る発明を，「本願発明」という。）
　
２．引用刊行物
（１）刊行物１
　本願出願前に頒布された，上記刊行物１には，「第２　２．２−１．（１）」に記載したとおりの発明が記載されているものと認められる。
　
（２）刊行物２
　本願出願前に頒布された，上記刊行物２には，「第２　２．２−１．（２）」に記載したとおりの発明が記載されているものと認められる。
　
３．対比・判断 
　本願発明は，前記「第２」で検討した補正発明から，「湾曲面」に対する限定事項を省いたものである。
　そうすると，本願発明を特定するために必要な事項を全て含み，さらに他の事項を付加したものに相当する補正発明が、前記「第２　２．２−３．」に記載したとおり，刊行物１及び２記載の発明に基づいて当業者が容易に発明をすることができたものであるから，本願発明も，同様の理由により，刊行物１及び２記載の発明に基づいて当業者が容易に発明をすることができたものである。
　
　したがって，本願発明は，刊行物１及び２記載の発明に基づいて当業者が容易に発明をすることができたものであるから，特許法第２９条第２項の規定により特許を受けることができない。
　
　
第４　むすび 
　以上のとおり，本願発明は特許を受けることができないから，本願の他の請求項に係る発明について検討するまでもなく，本願は拒絶すべきものである。
　
　よって，結論のとおり審決する。